(57)【要約】      （修正有）【課題】バッテリーグリップ単体での充電において充電完了後に充電状態の表示が消灯しても、充電状態を再通知するための部材を新たに追加することなく、ユーザが充電状態を確認できるようにする。【解決手段】電子機器（バッテリーグリップ１００）は、二つ以上の電源部（電池１０７、１０８）と、電源部に対して充電を行う充電制御手段１１０と、電源部の充電状態を検出する充電状態検出手段１１４と、電源部の充電状態を表示する表示手段１１５、１１６と、撮像装置との接続状態を判定する接続判定手段１１１と、操作部１０９と、を有する。制御手段は、撮像装置と接続されていないと判定された状態において、充電状態検出手段が充電停止通知を受信した後に、操作部１０９が所定の操作を受け付けた場合、表示手段による充電状態再通知を許可する。【選択図】図３
2019201462.tif 000002
【特許請求の範囲】
【請求項１】
二つ以上の電源部と、
前記電源部に対して充電を行う充電制御手段と、
前記電源部の充電状態を検出する充電状態検出手段と、
前記電源部の充電状態を表示する表示手段と、
撮像装置との接続状態を判定する接続判定手段と、
前記撮像装置と接続されていないと判定された状態において、前記充電状態検出手段が充電停止通知を受信した後に、操作部が所定の操作を受け付けた場合、前記表示手段による充電状態再通知を許可する制御手段と
を有することを特徴とする電子機器。
【請求項２】
前記充電状態検出手段は、前記電源部のいずれか一つでも満充電状態になった場合は、前記制御手段に対して充電停止通知を行うことを特徴する請求項１に記載の電子機器。
【請求項３】
前記充電状態検出手段は、前記電源部のいずれか一つでも充電制御中に充電エラー状態になった場合は、前記制御手段に対して充電停止通知を行うことを特徴とする請求項１または２に記載の電子機器。
【請求項４】
前記制御手段は、前記操作部が前記所定の操作を受け付けた場合は、所定時間、前記表示手段による充電状態再通知を行うことを特徴とする請求項１乃至３のいずれか１項に記載の電子機器。
【請求項５】
前記制御手段は、前記操作部が前記所定の操作を受け付けた場合は、前記所定の操作を受け付けている間、前記表示手段による充電状態再通知を行うことを特徴とする請求項１乃至４のいずれか１項に記載の電子機器。
【請求項６】
前記電子機器は、バッテリーグリップであることを特徴する請求項１乃至５のいずれか１項に記載の電子機器。
【発明の詳細な説明】
【技術分野】
【０００１】
本発明は、複数の電池の充電制御を行う電子機器などに関するものである。
【背景技術】
【０００２】
特許文献１には、バッテリーグリップに接続された複数の二次電池を充電する方法が記載されている。
【０００３】
特許文献２には、満充電に伴い充電状態表示を消灯させていたとしても、入力手段による入力を検出した場合には満充電である旨を再通知する方法が記載されている。
【先行技術文献】
【特許文献】
【０００４】
【特許文献１】特開２０１３−１０２６２５号公報
【特許文献２】特開２００７−３２３４０３６号公報
【発明の概要】
【発明が解決しようとする課題】
【０００５】
しかしながら、特許文献２に記載されている方法では、充電状態を再通知するために専用の押し釦などの入力手段を有する構成となっている。バッテリーグリップと撮像装置が接続された状態での充電においては撮像装置を再起動し、メニューより電池残量を確認することで、充電状態を確認することができる。一方で、バッテリーグリップ単体での充電の場合にはメニューによる充電状態確認ができないため、充電状態表示を消灯した場合には充電状態を確認することができない。さらに、バッテリーグリップに撮像装置接続時の撮影用の操作部材釦に追加して、充電状態再通知のための専用の押し釦などを配置することは、部品コストが増える上、構成が複雑化するといった課題がある。
【０００６】
そこで、本発明は、バッテリーグリップ単体での充電において充電完了後に充電状態の表示が消灯しても、充電状態を再通知するための部材を新たに追加することなく、ユーザが充電状態を確認できるようにすることを目的とする。
【課題を解決するための手段】
【０００７】
本発明に係る電子機器は、二つ以上の電源部と、前記電源部に対して充電を行う充電制御手段と、前記電源部の充電状態を検出する充電状態検出手段と、前記電源部の充電状態を表示する表示手段と、撮像装置との接続状態を判定する接続判定手段と、前記撮像装置と接続されていないと判定された状態において、前記充電状態検出手段が充電停止通知を受信した後に、操作部が所定の操作を受け付けた場合、前記表示手段による充電状態再通知を許可する制御手段とを有する。
【発明の効果】
【０００８】
本発明によれば、バッテリーグリップ単体での充電において充電完了後に充電状態の表示が消灯しても、充電状態を再通知するための部材を新たに追加することなく、ユーザが充電状態を確認することができる。
【図面の簡単な説明】
【０００９】
【図１】実施形態１におけるバッテリーグリップ１００でＵＳＢ充電を行う際の充電制御を説明するためのフローチャートである。
【図２】電状態再通知を許可する否かの判定処理を説明するためのフローチャートである。
【図３】実施形態１におけるバッテリーグリップ１００の構成要素と、実施形態１における充電器１４０の構成要素とを説明するためのブロック図である。
【図４】電池１０７および１０８の構成要素を説明するためのブロック図である。
【図５】実施形態２におけるバッテリーグリップ１００でＵＳＢ充電を行う際の充電制御を説明するためのフローチャートである。
【発明を実施するための形態】
【００１０】
以下、図面を参照して本発明の実施形態を説明する。ただし、本発明は以下の実施形態に限定されるものではない。
【００１１】
［実施形態１］
以下、図３を参照して、実施形態１におけるバッテリーグリップ１００の構成要素と、実施形態１における充電器１４０の構成要素とを説明する。実施形態１におけるバッテリーグリップ１００は電子機器の一例であり、実施形態１における充電器１４０はＵＳＢ（Ｕｎｉｖｅｒｓａｌ  Ｓｅｒｉａｌ  Ｂｕｓ）電源の一例である。なお、実施形態１では、電池１０７および１０８がリチウムイオン電池などの二次電池である際の充電制御を説明する。
【００１２】
接続部１０１は、レセプタクル形状のＵＳＢ（Ｕｎｉｖｅｒｓａｌ  Ｓｅｒｉａｌ  Ｂｕｓ）コネクタである。接続部１０１を介して、ＶＢＵＳ１２３、信号線１２４、不図示のＧＮＤ等が接続される。ＶＢＵＳ１２３は電力供給線であり、信号線１２４には、Ｄ＋、Ｄ−、ＣＣ、高速差動信号などの信号線が含まれる。ＶＢＵＳ１２３は、スイッチ１１２、電源回路１０２、スイッチ１０４、切り替え回路１０６を介して、電池１０７および１０８に接続される。
【００１３】
スイッチ１１２、電源回路１０２、スイッチ１０４、切り替え回路１０６は、後述する制御部１１０で制御される。電池１０７および１０８の詳細は図４を用いて後述する。スイッチ１１２は、ＶＢＵＳの電力供給をＯＮ／ＯＦＦするためのスイッチであり、過電圧が印可された場合にスイッチ１１２をＯＦＦにすることで後段の回路に過電圧が印可されないよう制御する。
【００１４】
電源回路１０２は、ＶＢＵＳの電圧を必要な電圧に昇降圧するためのＤＣ／ＤＣコンバータなどで構成される。スイッチ１０４は昇降圧した電力を電池側または後段の回路部に供給するためのスイッチである。切り替え回路１０６は電池１０７、電池１０８のどちらの電池に電源を接続するかを切り替えるための回路である。また、電源回路１０２で電圧、電流を制御することで、ＣＣ充電（定電流充電）、ＣＶ充電（定電圧充電）、ＣＣ充電およびＣＶ充電よりも小さい電流で充電する予備充電などを実現することができる。
【００１５】
検出回路１０３は、接続部１０１に接続部１４３が接続された場合にＶＢＵＳ電圧を検出するための検出回路である。検出回路１０３でＶＢＵＳ電圧を検出し、後述する制御部１１０で電源回路１０２、スイッチ１１２およびスイッチ１０４の制御を行う。
【００１６】
接続部１０５は不図示の撮像装置（デジタルカメラなど）との接点部であり、電源や通信ラインなどから構成される。検出回路１１１は、撮像装置との接続を検出するための検出回路部である。検出回路１１１の検出信号は制御部１１０に接続され、制御部１１０は不図示の撮像装置との接続状況を監視する。なお、実施形態１では撮像装置と接続されているか否かに応じて制御を変更することはないため、撮像装置との接続時の説明は省略する。
【００１７】
操作部１０９は、撮像装置接続時にバッテリーグリップ１００を縦位置グリップとして使用した場合のレリーズ釦などの撮影操作部材であり、撮像装置接続部１０５を介して、不図示の撮像装置側のシステム制御部に接続されている。また、操作部１０９は、バッテリーグリップ１００の制御部１１０にも接続されており、充電完了時または充電エラー時等の再点灯通知用の釦として使用される。
【００１８】
電源回路１１３は、電池１０７、電池１０８またはＶＢＵＳ１２３を昇降圧した電源から、バッテリーグリップ１００の各ブロックに必要な電力を生成するための電源回路である。ＤＣ／ＤＣコンバータやレギュレータなどで構成される。
【００１９】
制御部１１０は、充電、放電を制御するための制御部であり、さらには充電器１４０や撮像装置との通信を行う。充電器１４０と接続する場合、接続部１０１から電力供給を受けて、電池１０７および１０８に対して充電制御を行う。また、接続部１０５を介して、撮像装置を接続する場合、電池１０７および１０８からの電力を不図示の撮像装置側に放電することができる。制御部１１０は、検出回路１０３でＶＢＵＳを検出した後、切り替え回路１０６で充電対象の電池を選択する。そして、充電対象の電池の電池電圧をモニタし、電源回路１０２を制御することで充電電圧まで昇降圧制御を行う。
【００２０】
充電状態判定部１１４は、電池１０７および電池１０８の充電状態を監視しており、充電状態を制御部１１０に通知している。充電状態表示部１１５および１１６は、制御部１１０でのプログラム実行に応じて、ＬＥＤ点灯や音声などにより電池１０７または電池１０８の充電状態を通知するための通知手段である。
【００２１】
充電器１４０は接続部１４３を有し、接続部１４３はバッテリーグリップ１００の接続部１０１に接続が可能である。接続部１４３は例えばプラグ形状のＵＳＢ（Ｕｎｉｖｅｒｓａｌ  Ｓｅｒｉａｌ  Ｂｕｓ）コネクタである。接続部１４３と接続部１０１とが接続されることで、バッテリーグリップ１００および充電器１４０のＶＢＵＳ、信号線、ＧＮＤ等が接続される。
【００２２】
電源接続部１４１は、ＡＣプラグであり、商用電源に接続され、電源回路１４２を介して、ＤＣ電源に変換され、接続部１４３および接続部１０１を介して、バッテリーグリップ１００または不図示の撮像装置等に供給される。制御部１４４は、電源回路の動作を制御し、バッテリーグリップ１００または不図示の撮像装置との通信を制御する制御部である。
【００２３】
次に、図４を参照して、電池１０７および電池１０８の構成要素を説明する。ただし、電池１０７および電池１０８はいずれも、図４に示す構成要素以外の構成要素を含む。
【００２４】
電池１０７および１０８は、電池セル１１７と電池制御部１１８とを備えている。電池セル１１７は電池制御部１１８に接続されており、電池セル１１７は電池制御部１１８、電源供給パス１１９および電源接点部１２２を介して、バッテリーグリップ１００および不図示の撮像装置に電力供給する。また、電池セル１１７は電池制御部１１８に対して電力を供給する。なお、電池セル１１７は複数セルあってもよい。
【００２５】
電池制御部１１８は通信機能部と電池残量を監視する残量検出部を有している。そして、電池制御部１１８は、電池セル１１７に関する様々な電池情報を取得して記憶している。電池制御部１１８は、信号線１２０および通信接点部１２１を介して、バッテリーグリップ１００の制御部１１０と通信する。
【００２６】
次に、図１のフローチャートを参照して、実施形態１におけるバッテリーグリップ１００でＵＳＢ充電を行う際の充電制御を説明する。図１では、電池１０７を第一の電池１０７と呼び、電池１０８を第二の電池１０８と呼ぶ。
【００２７】
ステップＳ１０１では、制御部１１０は第一の電池１０７の充電状態表示部１１５を用いて、第一の電池１０７が充電中である旨をユーザに通知する。なお、充電中である旨は第一の電池１０７の充電状態表示部１１５の緑色ＬＥＤを点滅制御することで通知する。ステップＳ１０２では、制御部１１０は第一の電池１０７の充電を開始する。ステップＳ１０３では、制御部１１０は充電状態検出部１１４より第一の電池１０７の充電停止通知を受信したか確認する。受信した場合にはＳ１０４に移行し、停止の通知を受信していない場合にはステップＳ１０３を繰り返す。
【００２８】
ステップＳ１０４では、制御部１１０は第一の電池１０７の充電を停止する。ステップＳ１０５では、制御部１１０は充電状態検出部１１４と通信を行い、第一の電池１０７の充電停止要因が満充電検出による停止か否か確認する。満充電検出による充電停止の場合にはステップＳ１０６に移行し、満充電検出による充電停止でない場合にはステップＳ１１５に移行する。
【００２９】
ステップＳ１０６では、制御部１１０は第一の電池１０７の充電状態表示部１１５を用いて、第一の電池１０７が充電完了である旨をユーザに通知する。なお、充電完了である旨は第一の電池１０７の充電状態表示部１１５の緑色ＬＥＤを点灯制御することで通知する。ステップＳ１０７では、制御部１１０は第二の電池１０８の充電状態表示部１１６を用いて、第二の電池１０８が充電中である旨をユーザに通知する。ステップＳ１０８では、制御部１１０は第二の電池１０８の充電を開始する。
【００３０】
ステップＳ１０９では、制御部１１０は充電状態検出部１１４より第二の電池１０８の充電停止通知を受信したか確認する。受信した場合にはステップＳ１１０に移行し、停止の通知を受信していない場合にはステップＳ１０９を繰り返す。ステップＳ１１０では、制御部１１０は第二の電池１０８の充電を停止する。ステップＳ１１１では、制御部１１０は充電状態検出部１１４と通信を行い、第二の電池１０８の充電停止要因が満充電検出による停止か否か確認する。満充電検出による充電停止の場合にはステップＳ１１２に移行し、満充電検出による充電停止でない場合にはステップＳ１１５に移行する。
【００３１】
ステップＳ１１２では、制御部１１０は第一の電池１０７の充電状態表示部１１５の充電表示と、第二の電池１０８の充電状態表示部１１６の充電表示とを消灯する。一方で、ステップＳ１１５では、充電状態表示部１１５および１１６を用いて、充電エラーが発生した旨をユーザに通知する。なお、充電エラーである旨は赤色ＬＥＤを点灯制御することで通知する。
【００３２】
ステップＳ１１６では、制御部１１０は所定時間経過したか否かを判定する。所定時間経過した場合にはステップＳ１１７へ移行し、所定時間経過していない場合にはステップＳ１１６を繰り返す。ここでは例えば１分程度ユーザに充電エラーによる充電停止である旨を通知する。
【００３３】
ステップＳ１１３では、制御部１１０は、図２のサブルーチンに示す手順に従い、第一の電池１０７および第二の電池１０８の充電状態再通知を許可する否かを判定する。ステップＳ１１３については、図２のサブルーチンを参照して詳細を説明する。図２のサブルーチンでは、充電完了後の操作部１０９による充電状態再通知を許可するか否かを判定する手順を説明する。
【００３４】
ステップＳ２０１では、制御部１１０は検出回路１１１より不図示の撮像装置が接続されているか否かを判定する。撮像装置が接続されていない場合にはステップＳ２０２に移行し、接続されている場合にはサブルーチンを終了し、図１のステップＳ１１４に移行する。
【００３５】
ステップＳ２０２では、制御部１１０は操作部１０９による充電状態再通知の割り込みを許可し、省電力モードからの起床要因にセットする。操作部１０９による充電状態再通知の割り込みが許可され、その割り込みが実行されることにより、第一の電池１０７および第二の電池１０８の充電状態再通知が行われる。以上でサブルーチンを終了し、図１のステップＳ１１４に移行する。ステップＳ１１４では、制御部１１０は充電制御を終了し、省電力モードに移行する。
【００３６】
以上説明したように、実施形態１によれば、第一の電池１０７および第二の電池１０８の充電完了後にユーザが充電状態を確認したい場合でも、操作部１０９より入力制御することで第一の電池１０７および第二の電池１０８の充電状態を確認することができる。
【００３７】
［実施形態２］
次に、実施形態２を説明する。実施形態２におけるバッテリーグリップ１００は電子機器の一例であり、実施形態２における充電器１４０はＵＳＢ電源の一例である。なお、実施形態２におけるバッテリーグリップ１００の構成要素のうち、実施形態１におけるバッテリーグリップ１００の構成要素と同様のものについては、同一の符号を付し、それらの説明を省略する。実施形態２における充電器１４０の構成要素のうち、実施形態１における充電器１４０の構成要素と同様のものについては、同一の符号を付し、それらの説明も省略する。
【００３８】
以下、図５のフローチャートを参照して、実施形態２におけるバッテリーグリップ１００でＵＳＢ充電を行う際の充電制御を説明する。図５では、電池１０７を第一の電池１０７と呼び、電池１０８を第二の電池１０８と呼ぶ。
【００３９】
ステップＳ３０１では、制御部１１０は第一の電池１０７の充電状態表示部１１５を用いて、第一の電池１０７が充電中である旨をユーザに通知する。なお、充電中である旨は第一の電池１０７の充電状態表示部１１５の緑色ＬＥＤを点滅制御することで通知する。ステップＳ３０２では、制御部１１０は第一の電池１０７の充電を開始する。ステップＳ３０３では、制御部１１０は充電状態検出部１１４より第一の電池１０７の充電停止通知を受信したか確認する。受信した場合にはステップＳ３０４に移行し、停止の通知を受信していない場合にはステップＳ３０３を繰り返す。
【００４０】
ステップＳ３０４では、制御部１１０は第一の電池１０７の充電を停止する。ステップＳ３０５では、制御部１１０は充電状態検出部１１４と通信を行い、第一の電池１０７の充電停止要因が満充電検出による停止か否か確認する。満充電検出による充電停止の場合にはステップＳ３０６に移行し、満充電検出による充電停止でない場合にはステップＳ３１６に移行する。ステップＳ３０６では、制御部１１０は第一の電池１０７の充電状態表示部１１５の充電表示を消灯する。
【００４１】
ステップＳ３０７では、制御部１１０は、図２のサブルーチンに示す手順に従い、第一の電池１０７の充電状態再通知を許可するか否かを判定する。ステップＳ３０７では、ステップＳ１１３と同様の処理が行われる。ただし、ステップＳ３０７では、ステップＳ１１３と異なり、第二の電池１０８の充電状態再通知を許可する否かは判定されない。なお、ステップＳ３０７において、充電状態再通知が許可された場合にはこれ以降、操作部１０９が入力された場合には第二の電池１０８が充電中でも第一の電池１０７の充電状態再通知を行う。
【００４２】
ステップＳ３０８では、制御部１１０は第二の電池１０８の充電状態表示部１１６を用いて、第二の電池１０８が充電中である旨をユーザに通知する。ステップＳ３０９では、制御部１１０は第二の電池１０８の充電を開始する。ステップＳ３１０では、制御部１１０は充電状態検出部１１４より第二の電池１０８の充電停止通知を受信したか確認する。受信した場合にはステップＳ３１１に移行し、停止の通知を受信していない場合にはステップＳ３１０を繰り返す。ステップＳ３１１では、制御部１１０は第二の電池１０８の充電を停止する。
【００４３】
ステップＳ３１２では、制御部１１０は充電状態検出部１１４と通信を行い、第二の電池１０８の充電停止要因が満充電検出による停止か否か確認する。満充電検出による充電停止の場合にはステップＳ３１３に移行し、満充電検出による充電停止でない場合にはステップＳ３１６に移行する。ステップＳ３１３では、制御部１１０は第二の電池１０８の充電状態表示部１１６の充電表示を消灯する。
【００４４】
一方で、ステップＳ３１６では、充電状態表示部１１５および１１６を用いて、充電エラーが発生した旨をユーザに通知する。なお、充電エラーである旨は赤色ＬＥＤを点灯制御することで通知する。ステップＳ３１７では、制御部１１０は所定時間経過したか否かを判定する。所定時間経過した場合にはステップＳ３１８へ移行し、所定時間経過していない場合にはステップＳ３１７を繰り返す。ここでは例えば１分程度ユーザに充電エラーによる充電停止である旨を通知する。
【００４５】
ステップＳ３１４では、制御部１１０は、図２のサブルーチンに示す手順に従い、第二の電池１０８の充電状態再通知を許可するか否かを判定する。ステップＳ３１４では、ステップＳ１１３と同様の処理が行われる。ただし、ステップＳ３１４では、ステップＳ１１３と異なり、第一の電池１０７の充電状態再通知を許可する否かは判定されない。ステップＳ３１５では、制御部１１０は充電制御を終了し、省電力モードに移行する。
【００４６】
以上説明したように、実施形態２によれば、第一の電池１０７または第二の電池１０８の充電完了後にユーザが充電状態を確認したい場合でも、操作部１０９より入力制御することで第一の電池１０７または第二の電池１０８の充電状態を確認することができる。
【００４７】
なお、実施形態２では、ステップＳ１０７およびステップＳ３１４で充電状態再通知許可の判定を行っているが、これらのステップに至る前に行ってもよい。なお、実施形態２では、充電状態表示として充電中は緑色ＬＥＤを点滅、充電完了時は緑色ＬＥＤを点灯、充電エラー時は赤色ＬＥＤを点灯制御するとしたが、これに限るものでない。
【００４８】
［実施形態３］
実施形態１または２で説明した様々な機能、処理または方法は、パーソナルコンピュータ、マイクロコンピュータ、ＣＰＵ（Ｃｅｎｔｒａｌ  Ｐｒｏｃｅｓｓｉｎｇ  Ｕｎｉｔ）、マイクロプロセッサなどがプログラムを用いて実現することもできる。以下、実施形態３では、パーソナルコンピュータ、マイクロコンピュータ、ＣＰＵ（Ｃｅｎｔｒａｌ  Ｐｒｏｃｅｓｓｉｎｇ  Ｕｎｉｔ）、マイクロプロセッサなどを「コンピュータＸ」と呼ぶ。また、実施形態３では、コンピュータＸを制御するためのプログラムであって、実施形態１または２で説明した様々な機能、処理または方法を実現するためのプログラムを「プログラムＹ」と呼ぶ。
【００４９】
実施形態１または２で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態３におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態３におけるコンピュータ読み取り可能な記憶媒体は、ｎｏｎ−ｔｒａｎｓｉｔｏｒｙな記憶媒体である。
【００５０】
なお、本発明の実施形態は上述の実施形態１、２または３に限定されるものではない。発明の要旨を逸脱しない範囲で変更または修正された上述の実施形態１、２または３も本発明の実施形態に含まれる。
【符号の説明】
【００５１】
１００  バッテリーグリップ（電子機器）
１４０  充電装置
１０７  電池
１０８  電池
【図１】
2019201462.tif 000003
【図２】
2019201462.tif 000004
【図３】
2019201462.tif 000005
【図４】
2019201462.tif 000006
【図５】
2019201462.tif 000007